(57)【要約】【課題】バンド、特に時計バンドの長さを調節するデバイスを提供する。【解決手段】互いに向かうか又は離れるように移動させることのできる２つの部品１、２を含むデバイスであって、第１部品１によって担持される、少なくとも１本のケーブル３を備えるバンド長さを調節するアセンブリ４、５、３を備える。ケーブル３が第１部品１を第２部品２に連結し、調節アセンブリ４、５、３が操作者が調節する手段４を含む。調節プーリ５が手段４に取り付けられ、プーリにケーブル３の一方端が取り付けられ、その周りにケーブル３の一部が巻き付けられ、前記プーリが、複数の調節位置でプーリの回転をロックさせることが可能なロック手段６、７、９に関連付けられることを特徴とするデバイス。  任意の締め付けシステムに使用できる。好ましい用途は時計バンドの長さ調節である。【選択図】図３
2005305170.tif 000002
【特許請求の範囲】
【請求項１】
バンドの長さを調節するデバイスで、そのバンドが、互いに近寄ったり、離れるように移動させることのできる２つの部品（１、２）を含むデバイスであって、第１部品（１）によって担持される、少なくとも１本のケーブル（３）を備えるバンド長さを調節するアセンブリ（４、５、３）を備え、前記ケーブル（３）が第１部品（１）を第２部品（２）に連結し、前記調節アセンブリ（４、５、３）が操作者が調節する操作手段（４）を含み、ケーブル（３）の一方端が取り付けられるとともに、その一部が巻き付けられる調節プーリ（５）が前記操作手段（４）に取り付けられ、前記プーリが、複数の調節位置でプーリの回転をロックさせることが可能なロック手段（６、７、９）に関連付けられることを特徴とするデバイス。
【請求項２】
操作手段が、ロック位置と調節位置の間で軸方向に移動可能である刻み付けローラ（４）であり、その刻み付けローラが、前記調節位置で回転移動可能であることを特徴とする請求項１に記載の調節デバイス。
【請求項３】
調節プーリ（５）が、第１部品（１）に取り付けられた中空本体（６、６’）の内側に収容され、翼（９’）と協働して前記プーリの回転をロック位置で阻止するように設けられた前記翼を前記プーリが含むことを特徴とする請求項１、２に記載の調節デバイス。
【請求項４】
前記刻み付けローラをロック位置に戻す戻し手段をさらに含むことを特徴とする請求項３に記載の調節デバイス。
【請求項５】
本体（６、６’）が、相互に移動不可能に固定される２つの部品から形成されることを特徴とする、請求項３又は４に記載の調節デバイス。
【請求項６】
ケーブル（３）の他方端がバンドの第１部品（１）に取り付けられ、ケーブルの中間域の一部分が、スライドできるように第２部品（２）に受け取られることを特徴とする請求項１から５のいずれかに記載の調節デバイス。
【請求項７】
バンドの第２部品（２）が、ケーブル（３）を受け取る通路を有するケーブル（３）用の案内手段を含み、通路の内側面が小さな摩擦係数を有することを特徴とする請求項６に記載の調節デバイス。
【請求項８】
ケーブル（３）を第１部品（１）に向け直すために、少なくとも１本の追加のリターン・プーリが、バンドの第２部品（２）に設けられることを特徴とする請求項６に記載の調節デバイス。
【請求項９】
請求項１から８のいずれかに記載の長さ調節デバイスを含むことを特徴とする時計バンド。
【発明の詳細な説明】
【技術分野】
【０００１】
本発明は、バンド、専用ではないが特に時計バンドの長さを調節するデバイスであって、使用者の必要に応じてバンドを長くし、又は短くするデバイスに関する。
【背景技術】
【０００２】
例えば時計バンドでは、気候条件によって手首のパラメータが変化する時、特に手首が膨れる夏に、快適さのために時計バンドを長くすることが必要となることがある。
【０００３】
多機能を備えた時計を使用する場合、例えば時計ケースの裏蓋に配置されたセンサを使用する、使用者の手首と接触しなければならない心拍数モニタの場合、測定を行う際、適切な締め付けを保証しなければならず、そのような締め付けを、心拍数モニタリング動作の間中維持しなくてはならない。事実そのような装置は一般に、所定の時間で測定する脈拍数からの平均値測定など、様々な動作を実行するので、表示される数値が、当該所定の時間で行われた作業を適正に表すように、平均値を誤らせる測定の中断がないことを保証しなければならない。
【０００４】
したがって使用者の手首へのリストバンドの締め付けは、時計が脈拍測定の適切な条件にあるように、精確に調節することができなければならず、またリストバンドが大きな衝撃や振動にさらされる走行中のような困難な作業条件下でも、こうした調節条件に維持されなければならない。こうした作業の間、手首が膨らむので、使用者は、測定を失わずにリストバンドの締め付けを緩めることができなければならない。
【０００５】
同様に、時計の通常使用の間は、測定を行う時のような使用者の手首への特別の締め付けは必要ではなく、利便性の理由から望ましくなくさえある。したがって、心拍数モニタ又は類似の時計の使用に応じて、リストバンドの締め付け条件を変更することが可能である必要があり、そのような変更は、特に手首から時計を取り外す必要がなく可能な限り容易に起こらなければならない。
【０００６】
今日まで、こうした問題に対する充分な技術的解決は提案されていない。
【０００７】
スイス特許第Ａ６６５３２７号が、リストバンドを時計ケースに取り付けるデバイスであって、リストバンドを支柱の周りに巻き付け、そのようにしてリストバンドの寸法を短縮又は拡張するデバイスを開示している。この文書は、リストバンドの巻き付け又は巻き戻しをロックする機構を示しておらず、支柱がリンクから外れるのを防止する障害物となる１つ又は複数の突起部しか示していない。このデバイスは、時計バンドの寸法を精確に調節することができず、そのような調節を使用中維持することもないので、上述の用途には適切ではない。
【０００８】
ドイツ特許第２００２０３６０Ｕ号が、時計バンドの長さを調節するデバイスを開示している。時計バンドの両端が、２つの部品でケースに収容された巻き付け軸にしっかりと取り付けられ、軸が、刻み付けローラによって回転することができ、その位置で固定し、結合解除機構によって解放することができる。これを行うために、巻き付け軸が備える円盤は、その上面に切込みを有し、これが、刻み付けローラの下に固定された円盤の対応する切込みと協働するが、この後者の円盤は、外部目立て付の鋸歯状冠によって取り囲まれ、その目立てに、ケースにしっかりと取り付けられたロックつめが挿入される。このデバイスを心合わせする手段、およびデバイスを切込み位置に戻す手段も提供される。
【０００９】
多数の機械部品の付いたこのデバイスは、複雑、コスト高で、多数の関連部品を考慮すると、故障し易い。さらに、このデバイスは、時計バンドの制御された巻き戻しを保証せず、巻き付け軸の解放を保証するのみであり、そのことから、時計バンドが巻き戻りする可能性がある。さらに、このデバイスは、時計バンドを巻き付け軸に巻き付けることによって時計バンドに直接作用する。したがって、このデバイスは、特定のタイプの時計バンド、即ち巻き付け易い時計バンドに限定され、時計バンドに対して直接作用することによって、それを損傷するという欠点を有する。
【特許文献１】スイス特許第Ａ６６５３２７号
【特許文献２】ドイツ特許第２００２０３６０Ｕ号
【発明の開示】
【発明が解決しようとする課題】
【００１０】
したがって本発明の根底にある課題は、バンドの長さの、迅速かつ精確な両方向調節を実施可能にすることであり、そのような調節は、あらゆる条件の使用で維持される必要がある。
【課題を解決するための手段】
【００１１】
この問題を解決するために、本発明は、バンドの長さを調節するデバイスであって、そのバンドが、相互に向かって、又は相互から離れて移動させることのできる２つの部品を含み、第１部品によって担持される、少なくとも１本のケーブルを備えるバンド長さ調節アセンブリを備え、このケーブルが、第１部品を第２部品に連結し、この調節アセンブリが、操作者が調節する手段を備え、調節プーリがそのような手段にしっかりと取り付けられ、そこにケーブルの一方端が固定され、その周りにケーブルの一部が巻き付けられ、このプーリが、複数の調節位置でプーリの回転をロックさせることが可能なロック手段に関連付けられることを特徴とするデバイスを提案する。
【００１２】
操作手段は、刻み付けローラであり、これは一方で、ロック位置と調節位置の間で軸方向に移動可能であり、弾性手段によってロック位置に押し込められ、他方では、回転移動可能で、バンド長さの調節を実施できる。
【００１３】
調節プーリは、部品にしっかりと取り付けられた中空本体の内側に収容され、翼を備え、前記翼は、本体に設けられたロック手段と協働し、本体は、その上側部に、プーリ調節の回転を阻止するように、翼を受け取るようになされた切込みを含む。この本体は、相互に移動不可能に固定された２つの部品から形成することができる。
【００１４】
ケーブルの他方端部は、バンドの第１部品に固定され、ケーブルの中間域の一部分が、中でスライドすることができるように第２部品に受け取られる。
【００１５】
バンドの第２部品に追加のリターン・プーリを設けて、ケーブルを第１部品に向け直すことができることが望ましい。
【００１６】
本発明はまた、上述の長さ調節デバイスの１つを備えた時計バンドにも関する。
【発明を実施するための最良の形態】
【００１７】
本発明の他の特徴および利点が、図面を参照してなされた、限定しない例としてハンド長さ調節デバイスの有利な実施形態を与える以下の記述から明らかとなろう。
【００１８】
図１で、バンドの２つの部品１、２が見られるが、この例で時計バンドを形成するこれらの２つの部品は、それらの部品を離し、又は近づけることができるケーブル３によって相互に連結されている。そのようにして、使用者の必要に応じて、時計バンドの好ましい長さを調節することができる。時計バンドのこの調節は、使用者による手動で、刻み付けローラ４を押圧して、回転させることによって実施される。刻み付けローラ４は、操作手段を形成し、以下に詳しく述べる刻み付けローラ４、プーリ５、ケーブル３を備える調節アセンブリの上側に位置する。
【００１９】
図２ａ、２ｂ、３ａ、３ｂから明らかなように、ケーブル３は、その一方の端部が部品１に３ａで固定され、他方の端部が、図示する例で、調節アセンブリ４、５、３を構成しているプーリ５のドラムに巻き付けられている。これらの両端部それぞれから、ケーブル３は実質的に平行な２本のアームで部品２として延びているが、それらのアームは、ケーブルが部品２を通過するところでＵ又はＶ形状で終端する。部品２には、ケーブル３を受ける通路８ａを備える挿入部８が設けられるのが好ましい。ケーブルがスライドする通路の表面は、その中のケーブルの移動をし易くするために、小さな摩擦係数を有することが好ましい。この表面を、例えばテフロン（登録商標）層で被覆することができる。同様に、ケーブル３も、このタイプの層で被覆することができる。ここで示さない変形形態によれば、ケーブル用の追加の案内手段を、挿入部に設けることができ、こうした案内手段は、挿入部のＵ又はＶの基部に配設されたリターン・プーリの形態をとることが可能である。
【００２０】
図２ａ、２ｂはそれぞれ、調節アセンブリ４、５、３によって得られるぴんと張った調節位置と、弛緩した調節位置で本実施形態を示す。これらの図では、調節アセンブリの残りの部分、特に調節プーリ５とケーブル３の協働が見えるように、刻み付けローラ４を示していない。
【００２１】
図２ａでは、調節アセンブリが、ケーブル３が巻き付けられた調節プーリ５を備えるのを見ることができる。この図は、ケーブルの最大限の巻き付け位置、したがって、時計バンドの部品１、２が接合された、時計バンドの最大限の短縮状態を示す。
【００２２】
図２ｂの場合は、調節プーリ５は、反時計回りの方向に回転し、ケーブルの一部を巻き戻し、したがって部品１と２を離して移動させ、それによって時計バンドを長くしたところである。時計バンドは、弛緩した調節位置にある。したがっていくつかの弛緩調節位置が存在し、こうした位置は、調節プーリ５のケーブル３の巻き戻しの大小に対応する。このようにケーブル３は、時計バンドの一部の挿入部８の通路内にスライドしたところであり、したがって、摩擦係数が可能な限り小さな挿入部８とケーブル３を使用する必要が存在する。
【００２３】
図２ａ、２ｂの実施形態では、プーリ５はその周囲に翼９を備え、これが、時計バンドの部品１に含まれる本体６、６’の上側部６に配置された同一形状の切込み９’と協働する。翼９が上側部６に入ることによって、以下に詳しく述べるように、調節プーリ５を調節位置で阻止することができる。さらに、これらの翼９は、ケーブル３が巻き付けられる時、ケーブルのための案内フランジを形成し、調節プーリ５の周りにケーブルを保持させることができる。
【００２４】
図３ａ、３ｂは、翼と本体とを備えた調節プーリ５を備えた実施形態の、本発明による調節アセンブリの動作を述べる。本体は、調節アセンブリをロックするための切込み９’を有する上側部６を備えている。既に図２ａ、２ｂで説明したように、刻み付けローラ４と調節プーリ５は互いに取り付けられ、調節位置に回転を実施して、ケーブル３を巻き付け、又は巻き戻し、そのようにして時計バンドの長さを調節することができる。さらに、刻み付けローラ４と調節プーリ５は、刻み付けローラ４が、休み位置又はロック位置と呼ばれる高位置にある位置と、刻み付けローラ４が、調節位置と呼ばれる低位置にある位置との間で、軸方向に移動可能である。刻み付けローラ４と調節プーリ５のアセンブリは弾性手段によって戻される。そのため螺旋状バネ７が、アセンブリの休み位置で、刻み付けローラ４の低面と本体１の低部６’との間に延びている。このアセンブリは、時計バンドの部品１にしっかりと取り付けられた上側部６と下側部６’を備えた本体に部分的に収容され、本体の下側部６’の基部と、調節プーリ５の下側部との間に空間が構成されて、その空間によって本体内で軸方向に移動することが可能になる。
【００２５】
図３ａでは、刻み付けローラ４が高位置にある時、調節プーリ５の翼９は、部品１にしっかりと取り付けられた本体の上側部６の対応する形状の切込みに収容される。調節プーリ５は、このようにして回転を阻止され、ケーブル３を巻き付け又は巻き戻しすることはできない。
【００２６】
図３ｂでは、腕輪の長さの調節を実施するために、着用者は刻み付けローラ４を押圧し、プーリ５を本体内に押入れ、翼を本体の上側部６に設けられた切込みから解放する。
【００２７】
それによって、刻み付けローラ―プーリのアセンブリが自由に回転でき、ケーブルを調節することができる。調節プーリ５をこのように、翼９が再度本体の上側部６の切込みと対応するようになる位置まで回転させることができる。その瞬間に使用者は、刻み付けローラ４への圧力を解放すると、弾性手段７は刻み付けローラ―プーリのアセンブリをその休み位置に戻し、即ち刻み付けローラ４は高位置に戻り、調節プーリ５の翼９が再度本体の上側部６の切込みに収容される。この時計バンド長さ調節システムは再度移動が阻止される。
【００２８】
使用者が、調節プーリ５の翼９を、本体の上側部６の対応する切込みと容易に位置合わせできるように、刻み付けローラ４を透明な材料で作ることと便利である。この容易な位置合わせは、刻み付けローラ４と本体の上側部６に印刷して、又は浮き彫りにして配置したマーキングによって達成することができる。
【００２９】
添付図面に示す調節デバイスは、本発明の第１実施形態を表す。
【００３０】
切込み以外の遮断手段を備えたロック機構の他の実施形態も可能である。
【００３１】
第２実施形態では、調節プーリは、その上側面又は下側面の一方に、時計バンドの第１部品から突出するフィンガを受け取る共心の凹所を備え、このフィンガは、弾性手段が、操作手段―調節プーリのアセンブリをそのロック位置に戻す時に、その共心の凹所に入れられる。
【００３２】
ここに述べた実施形態に関して、ロック・アセンブリの様々な構成要素の変化形態を達成することができる。したがって、バネ７を、調節プーリ５を受け取る本体の下側部６’のハウジングの底部に配設される長細い片と置き換えることができるが、このバネは、調節プーリ５を上向きに戻す。
【００３３】
さらに本体の上側部６に、切込みを示しているが、これを他の高さに配置することもできる。刻み付けローラが高い場合、戻し手段の作用を逆にすることによって、刻み付けローラ４の低い休み位置に調整位置を設けることさえ可能である。
【００３４】
本記述を鑑みて分かるように、本発明のデバイスは、バンドを、簡単な方法で精確かつ確実に調節することを可能にする。
【００３５】
時計製作術の分野で、このようなデバイスが、迅速で信頼の置ける締め付けへの必要に答えるものであり、心拍数モニタにこれを使用することは、決定的な有利性を提供するものであることが観察されよう。また、これは、時計バンドを締め付ける従来の手段に、代替物を提供することもできる。
【００３６】
同様に、このデバイスは、リンクを取り外したり、追加しないことが望ましい金属のリストバンドへの用途を見出すこともできる。この場合、バンドの部品１、２は、リンクの鎖に挿入される特定の２つのリンクを形成することができ、この目的のために、これらの２つの部品は、リンクの鎖の残り部分に連結する手段を備える。別法として、ケーブルを、例えばいくつかのリンクを通過させて、第１部品といくつかのリンクの間に間隔を設けることもできる。例えば、リストバンドが、リンクに連続して装着される２本の金属線、好ましくは弾性金属線によって形成される場合、これら２本の金属線を、本発明による調節アセンブリに関連付けられたケーブルと置き換えることができる。各リンク同士間の遊びを縮小させて、一連のリンク全体を調節することもでき、それによって美観を損ねることはない。
【図面の簡単な説明】
【００３７】
【図１】一方の部品に刻み付け調節ローラを備えた、バンドの２つの部品の上面斜視図である。
【図２】本発明の実施形態による、翼付本体の形態のプーリを備えたバンド長さ調節システムの、それぞれピンと張った調節位置と、弛緩した調節位置の上面斜視図である。
【図３】バンドの２つの部品断面図であり、バンドの長さを調節するそれらのデバイスは、それぞれ、プーリがその高位置と低位置にある。
【符号の説明】
【００３８】
１、２  部品、３  ケーブル、４  操作手段、５  調節プーリ、６  中空本体、７  螺旋状バネ、８  挿入部、８ａ  通路、９  翼
【図１】
2005305170.tif 000003
【図２】
2005305170.tif 000004
【図３】
2005305170.tif 000005